(57)【要約】【課題】表示される画像の輝度のさらなる向上を図ることが可能な液晶表示装置を提供する。【解決手段】この液晶表示装置は、赤色（Ｒ）、緑色（Ｇ）、青色（Ｂ）および白色（Ｗ）の各サブ画素２１ａ〜２１ｄの各々に１つずつ設けられ、液晶層１に対して電圧を印加するための画素電極１４と、画素電極１４に接続され、画素電極１４を駆動するための薄膜トランジスタ５とを備えている。そして、白色（Ｗ）のサブ画素２１ｄの画素電極１４は、緑色（Ｇ）のサブ画素２１ｂの画素電極１４と連動して駆動するように、緑色（Ｇ）のサブ画素２１ｂの画素電極１４に電気的に連結されている。【選択図】図３
2008233136.tif 000002
【特許請求の範囲】
【請求項１】
１画素が複数のサブ画素により構成されている液晶表示装置であって、
前記複数のサブ画素の各々に１つずつ設けられ、液晶層に対して電圧を印加するための
画素電極と、
前記画素電極に接続され、前記画素電極を駆動するためのスイッチング素子とを備え、
前記１画素を構成する前記複数のサブ画素は、白色に対応する第１サブ画素と、白色以
外の所定色に対応する第２サブ画素とを少なくとも含んでおり、
前記第１サブ画素の画素電極は、前記第２サブ画素の画素電極と連動して駆動するよう
に、前記第２サブ画素の画素電極に電気的に連結されていることを特徴とする液晶表示装
置。
【請求項２】
前記第１サブ画素の画素電極と前記第２サブ画素の画素電極とを連動して駆動するため
の前記スイッチング素子は、前記第１サブ画素には設けられておらず、前記第２サブ画素
に設けられていることを特徴とする請求項１に記載の液晶表示装置。
【請求項３】
前記第１サブ画素の画素電極と前記第２サブ画素の画素電極とを互いに電気的に連結す
るための連結層をさらに備え、
前記連結層は、前記第１サブ画素の画素電極および前記第２サブ画素の画素電極と同一
の層からなることを特徴とする請求項１または２に記載の液晶表示装置。
【請求項４】
前記１画素を構成する前記複数のサブ画素は、前記第１サブ画素と前記第２サブ画素と
が互いに隣接するように配列されていることを特徴とする請求項１〜３のいずれかに記載
の液晶表示装置。
【請求項５】
前記第２サブ画素は、緑色に対応していることを特徴とする請求項１〜４のいずれかに
記載の液晶表示装置。
【発明の詳細な説明】
【技術分野】
【０００１】
この発明は、液晶表示装置に関し、特に、１画素が複数のサブ画素により構成されてい
る液晶表示装置に関する。
【背景技術】
【０００２】
従来、赤色（Ｒ）、緑色（Ｇ）および青色（Ｂ）にそれぞれ対応する３つのサブ画素の
他に、白色（Ｗ）に対応するサブ画素をさらに加えた４つのサブ画素により１画素が構成
されている液晶表示装置が知られている（たとえば、特許文献１参照）。
【０００３】
図８は、上記した従来の液晶表示装置の１画素の構成の一例を簡略的に示した平面図で
ある。図８を参照して、従来の液晶表示装置では、赤色（Ｒ）、緑色（Ｇ）、青色（Ｂ）
および白色（Ｗ）にそれぞれ対応する４つのサブ画素１２１ａ、１２１ｂ、１２１ｃおよ
び１２１ｄによって１画素１２１が構成されている。
【０００４】
なお、赤色（Ｒ）、緑色（Ｇ）、青色（Ｂ）および白色（Ｗ）の各サブ画素１２１ａ〜
１２１ｄには、それぞれ、ゲート線１２２およびデータ線１２３に接続された薄膜トラン
ジスタ１２４が１つずつ設けられている。すなわち、従来の液晶表示装置では、赤色（Ｒ
）、緑色（Ｇ）、青色（Ｂ）および白色（Ｗ）の各サブ画素１２１ａ〜１２１ｄに１つず
つ設置された薄膜トランジスタ１２４によって画素１２１の駆動が制御される。
【０００５】
図８に示した従来の液晶表示装置では、赤色（Ｒ）、緑色（Ｇ）および青色（Ｂ）の各
サブ画素１２１ａ〜１２１ｃとは別に、白色（Ｗ）のサブ画素１２１ｄをさらに加えるこ
とによって、表示される画像の輝度を向上させることが可能となる。
【０００６】
【特許文献１】特開平１１−２９５７１７号公報
【発明の開示】
【発明が解決しようとする課題】
【０００７】
しかしながら、図８に示した従来の液晶表示装置では、赤色（Ｒ）、緑色（Ｇ）、青色
（Ｂ）および白色（Ｗ）の各サブ画素１２１ａ〜１２１ｄに１つずつ設置された薄膜トラ
ンジスタ１２４によって画素１２１の駆動を制御しているため、白色（Ｗ）のサブ画素１
２１ｄの表示に寄与する領域（薄膜トランジスタ１２４や配線などが存在しない領域）を
より大きくするのが困難であるという不都合がある。その結果、従来の液晶表示装置では
、表示される画像の輝度のさらなる向上を図るのが困難であるという問題点がある。
【０００８】
この発明は、上記のような課題を解決するためになされたものであり、この発明の目的
は、表示される画像の輝度のさらなる向上を図ることが可能な液晶表示装置を提供するこ
とである。
【課題を解決するための手段】
【０００９】
上記目的を達成するために、この発明の一の局面による液晶表示装置は、１画素が複数
のサブ画素により構成されている液晶表示装置であって、複数のサブ画素の各々に１つず
つ設けられ、液晶層に対して電圧を印加するための画素電極と、画素電極に接続され、画
素電極を駆動するためのスイッチング素子とを備えている。そして、１画素を構成する複
数のサブ画素は、白色に対応する第１サブ画素と、白色以外の所定色に対応する第２サブ
画素とを少なくとも含んでおり、第１サブ画素の画素電極は、第２サブ画素の画素電極と
連動して駆動するように、第２サブ画素の画素電極に電気的に連結されている。
【００１０】
この一の局面による液晶表示装置では、上記のように、白色に対応する第１サブ画素を
少なくとも含む複数のサブ画素により１画素を構成することによって、白色に対応する第
１サブ画素を含まない複数のサブ画素により１画素を構成する場合に比べて、表示される
画像の輝度を向上させることが可能となる。この場合、白色に対応する第１サブ画素の画
素電極が白色以外の所定色に対応する第２サブ画素の画素電極と連動して駆動するように
、第１サブ画素の画素電極と第２サブ画素の画素電極とを電気的に連結することによって
、第２サブ画素の画素電極にスイッチング素子を接続すれば、第１サブ画素の画素電極お
よび第２サブ画素の画素電極の両方を連動して駆動することができる。これにより、第１
サブ画素にスイッチング素子を設置する必要がないので、第１サブ画素の表示に寄与しな
い領域を小さくすることができる。したがって、第１サブ画素の表示に寄与する領域の比
率（開口率）を向上させることができるので、表示される画像の輝度のさらなる向上を図
ることができる。なお、表示に寄与しない領域とは、スイッチング素子や配線などが存在
する領域であり、表示に寄与する領域とは、スイッチング素子や配線などが存在しない領
域である。
【００１１】
また、上記の場合、第１サブ画素にスイッチング素子を設置する必要がないので、複数
のサブ画素の各々にスイッチング素子を１つずつ設置する場合に比べて、スイッチング素
子の個数を削減することができる。これにより、液晶表示装置の構造を簡素化することが
できる。なお、４つのサブ画素を３つの素子で駆動することになるので、一般的な３つの
サブ画素で一つの画素を構成している液晶表示装置に用いられドライバーを用いることも
でき、更には配線数も削減できるので挟額縁化を図ることもできる。
【００１２】
上記一の局面による液晶表示装置において、好ましくは、第１サブ画素の画素電極と第
２サブ画素の画素電極とを連動して駆動するためのスイッチング素子は、第１サブ画素に
は設けられておらず、第２サブ画素に設けられている。このように構成すれば、容易に、
第１サブ画素の開口率を向上させることができる。
【００１３】
上記一の局面による液晶表示装置において、好ましくは、第１サブ画素の画素電極と第
２サブ画素の画素電極とを互いに電気的に連結するための連結層をさらに備え、その連結
層は、第１サブ画素の画素電極および第２サブ画素の画素電極と同一の層からなる。この
ように構成すれば、第１サブ画素の画素電極および第２サブ画素の画素電極を形成する際
に、同時に、連結層を形成することができる。これにより、連結層を形成するための工程
を別途設ける必要がない。したがって、第１サブ画素の画素電極と第２サブ画素の画素電
極とが互いに電気的に連結されるように構成したとしても、製造工程が増加するのを抑制
することができる。
【００１４】
上記一の局面による液晶表示装置において、好ましくは、１画素を構成する複数のサブ
画素は、第１サブ画素と第２サブ画素とが互いに隣接するように配列されている。このよ
うに構成すれば、複雑な配線の引き回しを行うことなく、第１サブ画素の画素電極と第２
サブ画素の画素電極とを互いに電気的に連結することができる。
【００１５】
上記一の局面による液晶表示装置において、好ましくは、第２サブ画素は、緑色に対応
している。このように構成すれば、緑色に対応する第２サブ画素から光が出射されるのに
同期して、白色に対応する第１サブ画素からも光が出射されることになる。ここで、通常
の人間の視感度は、青色、赤色および緑色の順番で高くなっている。このため、たとえば
、赤色および白色にそれぞれ対応する各サブ画素を連動させて駆動すると、輝度が高くな
った赤色が一番認識されやすくなり、視感度のバランスが崩れる恐れがある、そうすると
、カラー画像の表示を行った場合に、表示される画像に違和感が生じることになる。した
がって、第２サブ画素を緑色に対応させることで、赤色や青色よりも比視感度の高い緑色
の輝度を向上させることができるので、カラー画像の表示を行った場合に、表示される画
像をカラー画像として違和感なく視認することができる。
【発明の効果】
【００１６】
以上のように、本発明によれば、表示される画像の輝度のさらなる向上を図ることが可
能な液晶表示装置を容易に得ることができる。
【発明を実施するための最良の形態】
【００１７】
図１は、本発明の一実施形態による液晶表示装置を構成する液晶表示パネルおよびバッ
クライトユニットの斜視図である。図２は、図１に示した一実施形態による液晶表示装置
に含まれる液晶表示パネルの１画素分の構成を説明するための概略図である。図３は、図
１に示した一実施形態による液晶表示装置に含まれる液晶表示パネルの断面図である（図
２の１００−１００線に沿った断面に対応する図）。まず、図１〜図３を参照して、本実
施形態による液晶表示装置の構造について説明する。
【００１８】
本実施形態の液晶表示装置は、たとえば、屋外に持ち運び可能な携帯電話などの携帯機
器に用いられる。また、本実施形態の液晶表示装置は、図１に示すように、液晶表示パネ
ル２０と、バックライトユニット３０とを備えている。液晶表示パネル２０は、マトリク
ス状に配列された複数の画素（破線で囲まれた領域）２１を有しているとともに、その前
面（以下、表示面２０ａと言う）に所望の画像を表示するように構成されている。また、
バックライトユニット３０は、液晶表示パネル２０の表示面２０ａとは反対の背面２０ｂ
側に設けられている。このバックライトユニット３０は、液晶表示パネル２０の背面２０
ｂ側から液晶表示パネル２０に対してバックライト光（バックライトユニット３０で生成
された光）Ｌ１を照射するように構成されている。
【００１９】
また、液晶表示パネル２０は、図１および図２に示すように、複数の画素２１の各々が
４つのサブ画素２１ａ、２１ｂ、２１ｃおよび２１ｄを含むように構成されている。すな
わち、本実施形態では、１画素２１が４つのサブ画素２１ａ〜２１ｄにより構成されてい
ることになる。この１画素２１を構成する４つのサブ画素２１ａ〜２１ｄは、それぞれ、
赤色（Ｒ）、緑色（Ｇ）、青色（Ｂ）および白色（Ｗ）に対応している。なお、白色（Ｗ
）に対応するサブ画素２１ｄは、本発明の「第１サブ画素」の一例であり、緑色（Ｇ）に
対応するサブ画素２１ｂは、本発明の「第２サブ画素」の一例である。
【００２０】
そして、本実施形態では、１画素２１を構成する４つのサブ画素２１ａ〜２１ｄは、白
色（Ｗ）のサブ画素２１ｄと緑色（Ｇ）のサブ画素２１ｂとが互いに隣接するように配列
されている。具体的には、４つのサブ画素２１ａ〜２１ｄは、一方側（左側）から一方側
とは反対の他方側（右側）に向かって、赤色（Ｒ）のサブ画素２１ａ、緑色（Ｇ）のサブ
画素２１ｂ、白色（Ｗ）のサブ画素２１ｄおよび青色（Ｂ）のサブ画素２１ｃの順で配列
されている。
【００２１】
また、液晶表示パネル２０は、赤色（Ｒ）、緑色（Ｇ）、青色（Ｂ）および白色（Ｗ）
の各サブ画素２１ａ〜２１ｄによる画像の表示動作が透過表示モードで行われるように構
成されている。なお、透過表示モードとは、液晶表示パネル２０の背面２０ｂから液晶表
示パネル２０に入射したバックライト光Ｌ１を液晶表示パネル２０の表示面２０ａに向か
って透過させることによって、変調されたバックライト光（表示光）Ｌ１を液晶表示パネ
ル２０の表示面２０ａから出射するモードである。
【００２２】
以下に、本実施形態の液晶表示パネル２０の構造を具体的に説明する。
【００２３】
本実施形態の液晶表示パネル２０は、図３に示すように、液晶層１と、その液晶層１の
背面側および前面側にそれぞれ設けられたガラス基板２および３とを少なくとも含んでい
る。
【００２４】
ガラス基板２の前面側の表面上の所定領域には、バッファ層４を介して、後述する画素
電極１４を駆動するための薄膜トランジスタ５が形成されている。なお、薄膜トランジス
タ５は、本発明の「スイッチング素子」の一例である。
【００２５】
薄膜トランジスタ５は、ソース／ドレイン領域を有する能動層６と、能動層６の前面側
の表面上に形成されたゲート絶縁膜７と、ゲート絶縁膜７の前面側の表面上に形成された
ゲート電極８とによって構成されている。能動層６は、たとえば、ポリシリコンなどから
なる。また、ゲート絶縁膜７は、たとえば、ＳｉＯ2などからなる。また、ゲート電極８
は、たとえば、モリブデンなどからなる。なお、能動層６、ゲート絶縁膜７およびゲート
電極８の構成材料としては、上記以外の材料でもよい。
【００２６】
また、本実施形態では、薄膜トランジスタ５は、赤色（Ｒ）、緑色（Ｇ）および青色（
Ｂ）の各サブ画素２１ａ〜２１ｃに対応する領域に１つずつ設置されている一方、白色（
Ｗ）のサブ画素２１ｄに対応する領域には設置されていない。具体的には、本実施形態で
は、薄膜トランジスタ５は、平面的に見て、図２に示すように設置されている。このため
、本実施形態では、白色（Ｗ）のサブ画素２１ｄの開口率が、赤色（Ｒ）、緑色（Ｇ）お
よび青色（Ｂ）の各サブ画素２１ａ〜２１ｃの開口率よりも高くなっている。
【００２７】
また、薄膜トランジスタ５は、図３に示すように、層間絶縁膜１０によって覆われてい
る。そして、層間絶縁膜１０の前面側の表面上の薄膜トランジスタ５に対応する領域には
、ソース電極１１およびドレイン電極１２が形成されている。このソース電極１１および
ドレイン電極１２は、それぞれ、層間絶縁膜１０に形成されているコンタクトホールを介
して、薄膜トランジスタ５（能動層６）のソース領域およびドレイン領域に接続されてい
る。また、ソース電極１１およびドレイン電極１２は、層間絶縁膜１５によって覆われて
いる。
【００２８】
なお、図３には図示しないが、薄膜トランジスタ５のゲート電極８は、ゲート線９（図
２参照）に接続されている。また、ソース電極１１は、データ線１３（図２参照）に接続
されている。
【００２９】
また、層間絶縁膜１５の前面側の表面上の所定領域には、液晶層１に対して電圧を印加
するための画素電極（透明導電膜）１４が形成されている。この画素電極１４は、ＩＴＯ
（Ｉｎｄｉｕｍ  Ｔｉｎ  Ｏｘｉｄｅ）などからなるとともに、赤色（Ｒ）、緑色（Ｇ）
、青色（Ｂ）および白色（Ｗ）の各サブ画素２１ａ〜２１ｄに対応する領域に１つずつ設
置されている。また、赤色（Ｒ）、緑色（Ｇ）および青色（Ｂ）の各サブ画素２１ａ〜２
１ｃの画素電極１４は、層間絶縁膜１５に形成されているコンタクトホールを介して、対
応するドレイン電極１２に接続されている。すなわち、赤色（Ｒ）、緑色（Ｇ）および青
色（Ｂ）の各サブ画素２１ａ〜２１ｃの画素電極１４は、ドレイン電極１２を介して、対
応する薄膜トランジスタ５に接続されていることになる。これにより、赤色（Ｒ）、緑色
（Ｇ）および青色（Ｂ）の各サブ画素２１ａ〜２１ｃの画素電極１４は、対応する薄膜ト
ランジスタ５によって駆動される。
【００３０】
ここで、本実施形態では、白色（Ｗ）のサブ画素２１ｄの画素電極１４は、緑色（Ｇ）
のサブ画素２１ｂの画素電極１４と連動して駆動するように、緑色（Ｇ）のサブ画素２１
ｂの画素電極１４に電気的に連結されている。具体的には、白色（Ｗ）のサブ画素２１ｄ
および緑色（Ｇ）のサブ画素２１ｂの各々の画素電極１４は、その画素電極１４と同一の
層からなる連結層１４ａを介して、互いに電気的に連結されている。これにより、本実施
形態では、緑色（Ｇ）のサブ画素２１ｂに対応する領域に設置された薄膜トランジスタ５
によって、白色（Ｗ）のサブ画素２１ｄおよび緑色（Ｇ）のサブ画素２１ｂの各々の画素
電極１４が連動して駆動される。
【００３１】
また、ガラス基板３の背面側の表面上には、クロムからなるブラックマトリクス１６が
形成されている。このブラックマトリクス１６は、赤色（Ｒ）、緑色（Ｇ）、青色（Ｂ）
および白色（Ｗ）の各サブ画素２１ａ〜２１ｄに対応する領域を取り囲むように設置され
ている。すなわち、ブラックマトリクス１６の赤色（Ｒ）、緑色（Ｇ）、青色（Ｂ）およ
び白色（Ｗ）の各サブ画素２１ａ〜２１ｄに対応する領域には、開口部１６ａが形成され
ている。そして、赤色（Ｒ）、緑色（Ｇ）、青色（Ｂ）および白色（Ｗ）の各サブ画素２
１ａ〜２１ｄは、ブラックマトリクス１６によって仕切られている。
【００３２】
また、赤色（Ｒ）のサブ画素２１ａに対応する領域には、ブラックマトリクス１６の開
口部１６ａを埋め込むように、赤色に着色されたカラーフィルタ１７ａが形成されている
。また、緑色（Ｇ）のサブ画素２１ｂに対応する領域には、ブラックマトリクス１６の開
口部１６ａを埋め込むように、緑色に着色されたカラーフィルタ１７ｂが形成されている
。また、青色（Ｂ）のサブ画素２１ｃに対応する領域には、ブラックマトリクス１６の開
口部１６ａを埋め込むように、青色に着色されたカラーフィルタ１７ｃが形成されている
。なお、白色（Ｗ）のサブ画素２１ｄに対応する領域には、カラーフィルタは形成されて
いないが、カラーフィルタ１７ａ〜１７ｃと同じ厚みを有する透明層のようなものを形成
することにより、凹みをなくすようにしてもよい。
【００３３】
これにより、赤色（Ｒ）のサブ画素２１ａに対応する領域では、液晶表示パネル２０の
背面２０ｂからバックライト光Ｌ１が入射されると、そのバックライト光Ｌ１が赤色のカ
ラーフィルタ１７ａを介して液晶表示パネル２０の表示面２０ａから出射される。また、
緑色（Ｇ）のサブ画素２１ｂに対応する領域では、液晶表示パネル２０の背面２０ｂから
バックライト光Ｌ１が入射されると、そのバックライト光Ｌ１が緑色のカラーフィルタ１
７ｂを介して液晶表示パネル２０の表示面２０ａから出射される。また、青色（Ｂ）のサ
ブ画素２１ｃに対応する領域では、液晶表示パネル２０の背面２０ｂからバックライト光
Ｌ１が入射されると、そのバックライト光Ｌ１が青色のカラーフィルタ１７ｃを介して液
晶表示パネル２０の表示面２０ａから出射される。その一方、白色（Ｗ）のサブ画素２１
ｄに対応する領域では、液晶表示パネル２０の背面２０ｂからバックライト光Ｌ１が入射
されると、そのバックライト光Ｌ１がカラーフィルタを介さずに液晶表示パネル２０の表
示面２０ａから出射されることになる。
【００３４】
また、赤色（Ｒ）、緑色（Ｇ）、青色（Ｂ）および白色（Ｗ）の各サブ画素２１ａ〜２
１ｄに対応する領域には、ＩＴＯなどからなる共通電極（透明導電膜）１８が形成されて
いる。具体的には、赤色（Ｒ）、緑色（Ｇ）および青色（Ｂ）の各サブ画素２１ａ〜２１
ｃに対応する領域において、共通電極１８は、カラーフィルタ１７ａ〜１７ｃの背面側の
表面上に形成されている。また、白色（Ｗ）のサブ画素２１ｄに対応する領域において、
共通電極１８は、ブラックマトリクス１６の開口部１６ａを埋め込むように形成されてい
る。また、赤色（Ｒ）、緑色（Ｇ）、青色（Ｂ）および白色（Ｗ）の各サブ画素２１ａ〜
２１ｄの共通電極１８は、互いに電気的に連結されている。
【００３５】
また、図示しないが、画素電極１４の前面側の表面上および共通電極１８の背面側の表
面上には、それぞれ、ポリイミド樹脂からなる配向膜が形成されている。すなわち、液晶
層１は、一対の配向膜（図示せず）によって挟持されている。
【００３６】
本実施形態では、上記のように、白色（Ｗ）のサブ画素２１ｄの画素電極１４が緑色（
Ｇ）のサブ画素２１ｂの画素電極１４と連動して駆動するように、白色（Ｗ）のサブ画素
２１ｄの画素電極１４と緑色（Ｇ）のサブ画素２１ｂの画素電極１４とを電気的に連結す
ることによって、緑色（Ｇ）のサブ画素２１ｂに対応する領域に設置された薄膜トランジ
スタ５により、白色（Ｗ）のサブ画素２１ｄの画素電極１４および緑色（Ｇ）のサブ画素
２１ｂの画素電極１４の両方を連動して駆動することができる。これにより、白色（Ｗ）
のサブ画素２１ｄに対応する領域に薄膜トランジスタ５を設置する必要がないので、白色
（Ｗ）のサブ画素２１ｄの表示に寄与しない領域を小さくすることができる。したがって
、白色（Ｗ）のサブ画素２１ｄの表示に寄与する領域の比率（開口率）を向上させること
ができるので、表示される画像の輝度のさらなる向上を図ることができる。
【００３７】
また、白色（Ｗ）のサブ画素２１ｄに対応する領域に薄膜トランジスタ５を設置する必
要がないので、赤色（Ｒ）、緑色（Ｇ）、青色（Ｂ）および白色（Ｗ）の各サブ画素２１
ａ〜２１ｄに対応する領域に薄膜トランジスタ５を１つずつ設置する場合に比べて、薄膜
トランジスタ５の個数を削減することができる。これにより、液晶表示装置の構造を簡素
化することができる。
【００３８】
また、本実施形態では、上記のように、白色（Ｗ）のサブ画素２１ｄおよび緑色（Ｇ）
のサブ画素２１ｂの各々の画素電極１４を連動して駆動するための薄膜トランジスタ５を
、白色（Ｗ）のサブ画素２１ｄに対応する領域には設けずに、緑色（Ｇ）のサブ画素２１
ｂに対応する領域に設けることによって、容易に、白色（Ｗ）のサブ画素２１ｄの開口率
を向上させることができる。
【００３９】
また、上記の場合には、以下のような効果を得ることができる。すなわち、図４に示す
ように、液晶表示パネル２０に入射したバックライト光Ｌ１がブラックマトリクス１６に
より反射されたとしても、その反射されたバックライト光Ｌ１をカラーフィルタ１７ｂで
吸収することができる。これにより、ブラックマトリクス１６で反射されたバックライト
光Ｌ１を弱めることができるので、ブラックマトリクス１６で反射されたバックライト光
Ｌ１が薄膜トランジスタ５に入射したとしても、薄膜トランジスタ５が誤動作するという
不都合が発生するのを抑制することができる。
【００４０】
なお、白色（Ｗ）のサブ画素２１ｄに対応する領域に薄膜トランジスタ５を設置した場
合には、バックライト光Ｌ１がブラックマトリクス１６により反射されると、その反射さ
れたバックライト光Ｌ１がカラーフィルタを介さずに薄膜トランジスタ５に入射するので
、上記した効果を得るのが困難となる。
【００４１】
また、本実施形態では、上記のように、白色（Ｗ）のサブ画素２１ｄおよび緑色（Ｇ）
のサブ画素２１ｂの各々の画素電極１４を、その画素電極１４と同一の層からなる連結層
１４ａを介して互いに電気的に連結することによって、白色（Ｗ）のサブ画素２１ｄおよ
び緑色（Ｇ）のサブ画素２１ｂの各々の画素電極１４を形成する際に、同時に、連結層１
４ａを形成することができる。これにより、連結層１４ａを形成するための工程を別途設
ける必要がない。したがって、白色（Ｗ）のサブ画素２１ｄおよび緑色（Ｇ）のサブ画素
２１ｂの各々の画素電極１４が互いに電気的に連結されるように構成したとしても、製造
工程が増加するのを抑制することができる。なお、画素電極１４と同一の層からなる連結
部１４ａを設けない場合には、たとえば、薄膜トランジスタ５のドレイン領域を白色（Ｗ
）のサブ画素２１ｄに対応する領域に達するまで延ばし、かつ、その薄膜トランジスタ５
のドレイン領域を白色（Ｗ）のサブ画素２１の画素電極１４と連結させてもよい。
【００４２】
また、本実施形態では、上記のように、白色（Ｗ）のサブ画素２１ｄおよび緑色（Ｇ）
のサブ画素２１ｂの各々の画素電極１４が連動して駆動するように構成することによって
、緑色（Ｇ）のサブ画素２１ｂから光が出射されるのに同期して、白色（Ｗ）のサブ画素
２１ｄからも光が出射されることになる。このため、青色、赤色および緑色の順番で高く
なる通常の人間の視感度のバランスを崩すことなく輝度の向上を図ることができるので、
カラー画像の表示を行った場合に、表示される画像をカラー画像として違和感なく視認す
ることができる。
【００４３】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００４４】
たとえば、上記実施形態では、白色（Ｗ）のサブ画素の画素電極と緑色（Ｇ）のサブ画
素の画素電極とが連動して駆動するように構成したが、本発明はこれに限らず、白色（Ｗ
）のサブ画素の画素電極と赤色（Ｒ）のサブ画素の画素電極とが連動して駆動するように
構成してもよいし、白色（Ｗ）のサブ画素の画素電極と青色（Ｂ）のサブ画素の画素電極
とが連動して駆動するように構成してもよい。
【００４５】
また、上記実施形態では、１画素２１を構成する４つのサブ画素２１ａ〜２１ｄを、白
色（Ｗ）のサブ画素２１ｄと緑色（Ｇ）のサブ画素２１ｂとが互いに隣接するように配列
したが、本発明はこれに限らず、図５に示す第１変形例のように、１画素２１を構成する
４つのサブ画素２１ａ〜２１ｄを、一方側（左側）から一方側とは反対の他方側（右側）
に向かって、赤色（Ｒ）のサブ画素２１ａ、緑色（Ｇ）のサブ画素２１ｂ、青色（Ｂ）の
サブ画素２１ｃおよび白色（Ｗ）のサブ画素２１ｄの順で配列してもよい。このように構
成すれば、比視感度が高い色のサブ画素（２１ｂおよび２１ｄ）と比視感度が低い色のサ
ブ画素（２１ａおよび２１ｃ）とが１つずつ交互に配列されることになる。このため、比
視感度が高い色のサブ画素（比視感度が低い色のサブ画素）が固まることに起因して、筋
状の輝度ムラが生じるという不都合が発生するのを抑制することができる。ただし、緑色
（Ｇ）のサブ画素と白色（Ｗ）のサブ画素との間に他のサブ画素を配置した場合には、配
線の引き回しが複雑になる場合がある。
【００４６】
また、１画素２１を構成する４つのサブ画素２１ａ〜２１ｄを、図６に示す第２変形例
または図７に示す第３変形例のように配列してもよい。
【図面の簡単な説明】
【００４７】
【図１】本発明の一実施形態による液晶表示装置を構成する液晶表示パネルおよびバックライトユニットの斜視図である。
【図２】図１に示した一実施形態による液晶表示装置に含まれる液晶表示パネルの１画素分の構成を説明するための概略図である。
【図３】図１に示した一実施形態による液晶表示装置に含まれる液晶表示パネルの断面図である（図２の１００−１００線に沿った断面に対応する図）。
【図４】本発明の効果を説明するための図である。
【図５】本発明の第１変形例による液晶表示装置に含まれる液晶表示パネルの１画素分の構成を説明するための概略図である。
【図６】本発明の第２変形例による液晶表示装置に含まれる液晶表示パネルの１画素分の構成を説明するための概略図である。
【図７】本発明の第３変形例による液晶表示装置に含まれる液晶表示パネルの１画素分の構成を説明するための概略図である。
【図８】従来の液晶表示装置の１画素の構成の一例を簡略的に示した平面図である。
【符号の説明】
【００４８】
１  液晶層
５  薄膜トランジスタ（スイッチング素子）
１４  画素電極
１４ａ  連結層
２１  画素
２１ａ、２１ｃ  サブ画素
２１ｂ  サブ画素（第２サブ画素）
２１ｄ  サブ画素（第１サブ画素）
【図１】
2008233136.tif 000003
【図２】
2008233136.tif 000004
【図３】
2008233136.tif 000005
【図４】
2008233136.tif 000006
【図５】
2008233136.tif 000007
【図６】
2008233136.tif 000008
【図７】
2008233136.tif 000009
【図８】
2008233136.tif 000010